【事件の表示】
　特許第２８９４６８２号「閃光発光装置」の特許に対する特許異議の申立てについて、次のとおり決定する。
【結　論】
　訂正を認める。
　特許第２８９４６８２号の特許を維持する。
【理　由】
（１）手続きの経緯      
　本件特許第２８９４６８２号発明は、昭和６３年１２月９日出願の特願昭６３−３１１６１９号の一部を平成９年８月４日に新たに出願され、平成１１年３月５日にその発明の特許がなされ、その後、丸山　正及び池田　繁次より特許異議の申立てがなされ、取消理由通知がなされ、その指定期間内である平成１２年４月１８日に訂正請求がなされたものである。
（２）訂正の適否についての判断
ア．特許請求の範囲の訂正
ａ、訂正明細書の請求項１に係る発明
　訂正明細書の請求項１に係る発明は、特許請求の範囲に特定された、次のとおりのものである。
「【請求項１】カメラのレリーズ信号に応動し、シャッタの開動作開始直前までの間に瞳孔縮小用として閃光発光を行わせ、シャッタの開動作開始後に撮影用として閃光発光を行わせるようにした閃光発光装置において、瞳孔縮小用および撮影用の閃光発光を行うひとつの閃光放電管と、この閃光放電管に直列に接続されたＩＧＢＴと、このＩＧＢＴを駆動して、上記閃光放電管に瞳孔縮小用発光と撮影用発光とを行わせるものであって、前記瞳孔縮小用発光をレリーズ信号に応動して予め定められた一定時間の間、予め定められた発光間隔で複数回行わせ、前記撮影用発光を前記瞳孔縮小用発光の後であって前記レリーズ信号に応動した所定時間経過後に行わせる発光駆動回路と、を具備したことを特徴とする閃光発光装置。」
イ．詳細な説明の訂正
ａ、発明の詳細な説明の欄段落【０００６】の項（特許掲載公報第３欄段落【０００６】）を「【課題を解決するための手段】前述した目的を達成するため、本発明による閃光発光装置は、カメラのレリーズ信号に応動し、シャッタの開動作開始直前までの間に瞳孔縮小用として閃光発光を行わせ、シャッタの開動作開始後に撮影用として閃光発光を行わせるようにした閃光発光装置において、瞳孔縮小用および撮影用の閃光発光を行うひとつの閃光放電管と、この閃光放電管に直列に接続されたＩＧＢＴと、このＩＧＢＴを駆動して、上記閃光放電管に瞳孔縮小用発光と撮影用発光とを行わせるものであって、前記瞳孔縮小用発光をレリーズ信号に応動して予め定められた一定時間の間、予め定められた発光間隔で複数回行わせ、前記撮影用発光を前記瞳孔縮小用発光の後であって前記レリーズ信号に応動した所定時間経過後に行わせる発光駆動回路と、を具備したことを特徴とする。」と訂正する。
ウ.訂正の目的の適否及び拡張・変更の存否等
　上記訂正ア、は、特許請求の範囲の減縮に該当し、願書に添付した明細書又は図面に記載された事項の範囲内のものであり、実質的に特許請求の範囲を拡張又は変更するものではなく、新規事項の追加もない。また、上記訂正イ、は、発明の詳細な説明欄中の明瞭でない記載の釈明を目的とするものであり、願書に添付した明細書又は図面に記載された事項の範囲内のものであり、新規事項の追加もない。
エ．独立特許要件の判断
　そこで、上記訂正に係る請求項１の発明が本件出願の際独立して特許を受けることができるかどうか検討する。
　当審が平成１２年２月２日付け取消理由通知において引用した先願明細書及び図面（特願昭６３−２０８９２０号＜特開平２−５６５２８号公報＞、以下「先願明細書」という。）には、カメラのレリーズ信号に応動し、瞳孔縮小用として閃光発光を行わせ、撮影用として閃光発光を行わせるようにした閃光発光装置において、瞳孔縮小用および撮影用の閃光発光を行うひとつのキセノン管３６と、このキセノン管３６に直列に接続された大電流制御素子３７と、この大電流制御素子３７を駆動して、上記キセノン管３６に瞳孔縮小用と撮影用発光とを行わせるものであって、前記瞳孔縮小用発光をレリーズ信号に応動して予め定められた一定時間の間、複数回行わせ、前記撮影用発光を前記瞳孔縮小用発光の後に行わせる発光駆動回路と、を具備したことを特徴とする閃光発光装置が記載されている。
　同じく引用した刊行物１（米国特許第４２８５５８８号明細書及び図面、以下「引用例１」という。）には、カメラのレリーズ信号に応動し、瞳孔縮小用として事前発光を行わせ、シャッタの開動作開始後に撮影用として閃光発光を行わせるようにした閃光発光装置において、瞳孔縮小用および撮影用の閃光発光を行うひとつの閃光管回路１４と、この閃光管回路１４に直列に接続されたＳＣＲ１２、２０と、このＳＣＲ１２、２０を駆動して、上記閃光管回路１４に瞳孔縮小用発光と撮影用発光とを行わせるものであって、前記瞳孔縮小用発光をレリーズ信号に応動して予め定められた一定時間の間、行わせ、前記撮影用発光を前記瞳孔縮小用発光の後に行わせる発光駆動回路と、を具備した閃光発光装置が開示され、
  同じく引用した刊行物２（特公昭５８−４８０８８号公報、以下「引用例２」という。）には、カメラのレリーズ信号に応動し、シャッタの開動作開始直前までの間に瞳孔縮小用として閃光発光を行わせ、シャッタの開動作開始後に撮影用として閃光発光を行わせるようにした閃光発光装置において、前記瞳孔縮小用発光をレリーズ信号に応動して予め定められた一定時間の間、行わせ、前記撮影用発光を前記瞳孔縮小用発光の後に行わせる発光駆動回路と、を具備した閃光発光装置が開示され、
　同じく引用した刊行物３（特開昭６１−５０１２５号公報、以下「引用例３」という。）には、「被写界が非常に暗く、閃光撮影に先立つカメラの焦点調整が困難な場合に閃光放電管を連続的に繰り返し発光させて被写体を照射して焦点調整を容易にしたものがある。」（第１頁右欄第５〜９行）、「ＦＥＴ４の導通により、トリガー回路６のトリガーコンデンサ３２、トリガートランス３３の一次巻線を介して電流が流れ、これによりトリガートランスの二次巻線には第２図Ｄに示すようにＴ１の時間に高圧のトリガー電圧が発生し、閃光放電管３に印加され閃光放電管３はトリガー電圧の発生と殆んど同時かやや遅れて励起されて、主コンデンサ２の充電電荷を消費して発光する。そして・・・、ＮＡＮＤゲート２８からの発振出力が行なわれなくなるＴｎの時間まで前述した動作をし、繰り返して閃光放電管３は複数の発光を行なう。そのような複数回の発光により、焦点調整をすませた後、スイッチ２１をオフにし、主コンデンサ２が充電された状態で図示しないカメラの同調によりスイッチ３４がオンされると、トランジスタ１７、１８は導通し、前述のようにＦＥＴは導通して閃光放電管３は主コンデンサ２の充電電荷を消費して発光し、被写体を照射して閃光撮影を行なえる。」（第３頁左上欄第１５行〜右上欄第２０行）及び「即ち、閃光撮影に先立つ焦点調整のために有用するくり返し連続発光は、被写体の確認だけで良いので第５図Ａのように光ピーク値Ｈ１を低くしておき、撮影の閃光時には第５図Ｂのように光ピーク値Ｈ２を高くした発光を行なわせることができる。」（第３頁右下欄第７〜１２行）との記載があり、
  同じく引用した刊行物４（雑誌『日経エレクトロニクス１９８６年５月１９日号、ｎｏ.３９５』第１８１−１８５頁、以下「引用例４」という。）には、「ＩＧＢＴはＭＯＳ　ＦＥＴのドレインに正孔注入用のエミッタを付けたバイポーラーＭＯＳ複合素子である（図１６、１７）。構造はパワーＭＯＳ　ＦＥＴを基本としているため、高圧駆動型、ターンオン時間が短い、といった特徴を引き継いでいる。可聴音を超える１５ｋＨｚ以上の動作周波数のモータ駆動用ＰＷＭインバータなどに使う。」（第１８２頁第３欄第７〜１５行）及び「同じオン抵抗を得るにもＩＧＢＴが最も小さいチップですむ。」（第１８４頁第３欄第４〜６行）との記載があり、
　同じく引用した刊行物５（特開昭５５−４３５１５号公報、以下「引用例５」という。）には、「一定周期の点滅発光と、撮影用の閃光発光とを切換え可能に構成したことを特徴とするカメラ用ストロボ。」（特許請求の範囲第１項）との記載があり、
　同じく引用した刊行物６（特開昭５６−１５１９１６号公報、以下「引用例６」という。）には、「フラッシュ撮影の際、シャッターレリーズ操作に関連してカメラから出力される信号に応答して閃光放電管を予め一定強度で持続発光させると共に、カメラのシャッター開放に同期して閃光放電管を本発光させる閃光発光装置との組合せ」（特許請求の範囲第１項第５〜１０行）との記載があり、
　同じく引用した刊行物７（特開昭５５−１３５８２５号公報、以下「引用例７」という。）には、「従来、オートストロボの発光制御回路は次に説明する様に瞬間許容電流及び耐電圧大な制御素子主サイリスタ及び副次的制御素子（同じくサイリスタ）を要し、煩雑な回路となる他、制御の自在性にも制約があったが、この発明は高耐圧大電流スイッチングトランジスター（スイッチングレギュレーター用等）を放電管と直列に接続することによって回路の簡略化と機能的な自在性を満たし得たものである。」（第１頁左欄第１１〜２０行）、「この発明は第３図に一例を示す様にサイリスタを排除し、高耐圧大電流スイッチングトランジスター（Ｔｒ１）の主電流回路にトリガーコイルのＢ端子（Ｂ）を直結して第１図の（Ｔ２）を省略し、入力回路の一元性を計ると共に従来主サイリスタ第１図の（Ｔ１）保持電流の停止に要した主サイリスタ逆バイアス等用サイリスタ第１図の（Ｔ３）をも必要としない簡略化を計る事により、」（第１頁右欄第１８行〜第２頁左欄第６行）、及び「よって従来比較的困難であった高速マルチフラッシュ機能製品も容易且つローコストに生産し得るものである。」（第２頁左欄第１２〜１４行）との記載があり、
　同じく引用した刊行物８（特開昭６１−９４０３３号公報、以下「引用例８」という。）には、「同カメラ１００の本体上面にはＴＴＬオートストロボ装置２００が取付けられている。即ち、閃光放電管２０９、反射傘２１０等で構成される周知のストロボ装置には本発明の特徴である予備発光回路と主発光回路と演算回路とを含む制御回路２１１が設けられると共に、反射傘２１０に穿設された開口に設けられた受光素子２１２等が備えられている。」（第３頁左上欄第２〜９行）、「フィルム２０６の露光が開始される時点までの間に閃光放電管２０９を予備発光させる。」（第３頁左上欄第１４〜１６行）、「撮影用開口が全開したときに、上記発光量で上記閃光放電管２０９を主発光させて閃光撮影をするようにしたものである。」（第３頁右上欄第４〜７行）、「上記ラインｌ０、ｌ１間には、メインコンデンサ３、抵抗４、９、１０、トリガサイリスタ５、トリガコンデンサ６、トリガトランス７、閃光放電管８、コンデンサ１１でなる周知のストロボ回路で構成される、予備発光回路３００Ａが接続されている。」（第３頁右上欄第１３〜１８行）、「上記ラインｌ０、ｌ２間には、メインコンデンサ１３、抵抗１４、２４、２５、１９、２１、２７、２８、３０、３１、トリガサイリスタ１５、トリガコンデンサ１６、トリガトランス１７、閃光放電管１８、転流コンデンサ２０、メインサイリスタ２２、転流サイリスタ２３、コンデンサ２６、２９、３２でなる周知のストロボ回路で構成される、主発光回路３００Ｂが接続されている。このような予備発光回路３００Ａと主発光回路３００Ｂで構成される主回路３００には制御回路４００が接続されている。」（第３頁左下欄第１〜１２行）、及び「上記両ラインｌ３、ｌ４間にはメインコンデンサ１０５が接続され、更にトリガ回路１０６が接続されている。同トリガ回路１０６は制御回路６００Ｂ側から送出される予備・主発光開始信号ＡＢを受け、後述する閃光放電管１０７のトリガ電極に印加される電圧の予備・主発光開始信号Ｂ１と後述するメインサイリスタ１０８をオンするための低圧の予備・主発光開始信号Ｃ１とを送出するものである。上記両ラインｌ３、ｌ４間には、閃光放電管１０７とメインサイリスタ１０８との直列回路が接続され、同閃光放電管１０７のトリガ電極には上記トリガ回路１０６の予備・主発光開始信号Ｂ１が印加されるようになっている。また、メインサイリスタ１０８のゲートは抵抗１０９を介してラインｌ２に接続され、そして、同ゲートには抵抗１１０とコンデンサ１１１とを順次に介して、上記トリガ回路１０６からの予備・主発光開始信号Ｃ１が供給されるようになっている。」（第７頁右下欄第２〜２０行）との記載があり、
　同じく引用した刊行物９（特開昭６１−２０１２２５号公報、以下「引用例９」という。）には、「本発明は、ストロボの予備発光装置、更に詳しくは、予備発光用の専用部品および専用回路を用いることなく予備発光を行なえるようにしたストロボの予備発光装置に関する。」（第１頁左欄第１６〜１９行）、「本発明の目的は、従来のこうした欠点を解消するために軽量小型化したストロボの予備発光装置を提供するにある。」（第２頁左上欄第１〜３行）、「予備発光用のコンデンサを別個に設けないでも予備発光が行なえるようにしたことを特徴とする」（第２頁左上欄第７〜９行）、及び「本発明によれば、予備発光専用に別個の比較的大型のアルミ電解コンデンサを用いることなく、予備発光を行なうことができるのでストロボ装置を軽量小型化することができる。」（第１２頁左欄第９〜１２行）との記載があり、
　同じく引用した刊行物１０（東芝レビュー、４１巻１０号、昭和６１年、第８７３−８７６頁、以下「引用例１０」という。）には、「今回開発製品化したＩＧＢＴ（Ｉｎｓｕｌａｔｅｄ　Ｇａｔｅ　Ｂｉｐｏｌａｒ　Ｔｒａｎｓｉｓｔｏｒ）はＭＯＳＦＥＴの高速性とバイポーラトランジスタの高伝導度特性を兼ね備えた耐圧１０００Ｖ、電流２５Ａの素子で，ＡＣ４００Ｖ系装置のＰＷＭ（Ｐｕｌｓｅ　Ｗｉｄｔｈ　Ｍｏｄｕｌａｔｉｏｎ）周波数１０ｋＨｚ以上の動作を可能にするものであり、低騒音インバータ、高速回転インバータ、無停電電源などへの展開が期待される。」（第８７３頁頭書き第５〜８行）及び「しかしこれら素子の耐圧は４５０Ｖで、ＡＣ２００Ｖ系以下の装置への適用に限られており、ＡＣ４００Ｖ系装置に使用可能な耐圧１０００Ｖで、かつ高速大電流素子への期待は非常に高い。当社では、これらの要求にこたえる素子として、今回、先の５００Ｖ系に加えて、１０００Ｖ/２５Ａの高速ＩＧＢＴ（Ｉｎｓｕｌａｔｅｄ　Ｇａｔｅ　Ｂｉｐｏｌａｒ　Ｔｒａｎｓｉｓｔｏｒ）モジュール（ＭＧ２５Ｎ２ＹＳ１）を開発し製品化した。ＩＧＢＴは、ＭＯＳＦＥＴの高入力インピーダンス特性および高速性とバイポーラトランジスタの高伝導度（低飽和電圧）特性を両立させた素子である。」（第８７３頁まえがき第６〜１６行）との記載がある。
〈第２９条第２項〉
（本件請求項１に係る発明と各引用例に記載された発明との対比・判断）
　本件請求項１に係る発明と上記引用例１に記載された発明とを対比すると、本件請求項１に係る発明の「閃光放電管」は、上記引用例１に記載された発明の「閃光管回路１４」に相当するから、両者は、カメラのレリーズ信号に応動し、瞳孔縮小用として閃光発光を行わせ、シャッタの開動作開始後に撮影用として閃光発光を行わせるようにした閃光発光装置において、瞳孔縮小用および撮影用の閃光発光を行うひとつの閃光放電管と、この閃光放電管に直列に接続された電気部品と、この電気部品を駆動して、上記閃光放電管に瞳孔縮小用発光と撮影用発光とを行わせるものであって、前記瞳孔縮小用発光をレリーズ信号に応動して予め定められた一定時間の間、行わせ、前記撮影用発光を前記瞳孔縮小用発光の後に行わせる発光駆動回路と、を具備した閃光発光装置で一致し、
Ａ、本件請求項１に係る発明は、シャッタの開動作開始直前までの間に瞳孔縮小用として閃光発光を行わせたのに対して、上記引用例１はそのような記載が無い点、
Ｂ、電気部品が、本件請求項１に係る発明は、ＩＧＢＴであるのに対して、上記引用例１は、ＳＣＲである点、
Ｃ、瞳孔縮小用発光が、本件請求項１に係る発明は、予め定められた発光間隔で複数回であるのに対して、上記引用例１は、そのような記載が無い点、
Ｄ、撮影用発光が、本件請求項１に係る発明は、前記レリーズ信号に応動した所定時間経過後であるのに対して、上記引用例１は、そのような記載が無い点で相違する。
　そこで先ず、上記引用例２〜１０に、これらの相違点が開示されているか否かを検討すると、相違点Ａについては、上記引用例２に、開示されており、相違点Ｂについては、上記引用例４及び引用例１０に電気部品としてのＩＧＢＴが開示されており、相違点Ｃについては、上記引用例５に開示があり、相違点Ｄについては、上記引用例２〜１０のいずれにも開示されていない。
　本件請求項１に係る発明は、上記Ｄの構成を有することによって、明細書記載の効果を奏するものであるから、本件請求項１に係る発明が、上記引用例１〜１０のいずれかであるとも、各引用例に基づいて、当業者が容易に推考できたものとも言えない。
〈第２９条の２〉
　本件請求項１に係る発明と上記先願明細書に記載された発明とを対比すると、後者には、「シャッタの開動作開始直前までの間に」及び「シャッタの開動作開始後に」との記載は無いが、これらの点は技術常識と認められ、また、後者の大電流制御素子３７は、前者のＩＧＢＴに相当すると認められるから、後者は、前者の構成の一部である「瞳孔縮小用発光を、予め定められた発光間隔で行わせ」及び「撮影用発光を前記レリーズ信号に応動した所定時間経過後に行わせる」を有しない。
  そして、これらの構成は、自明であるとも技術常識であるともいえないから、本件請求項１に係る発明と上記先願明細書に記載された発明とが同一であるとはいえない。
　したがって、本件請求項１に係る発明は特許出願の際独立して特許を受けることができない発明とすることはできない。
カ．むすび
　以上のとおりであるから、上記訂正請求は、特許法第１２０条の４第２項及び第３項で準用する第１２６条第２−４項の規定に適合するので、当該訂正を認める。
（３）特許異議の申立てについての判断
ア．申立ての理由の概要
　申立人丸山　正は、証拠として甲第１号証（特開平２−５６５２３号公報、上記先願明細書）を提出し、訂正前請求項１に記載された発明は、特許法第２９条の２の規定に違反してなされたものであるから、特許を取り消すべき旨主張し、甲第２号証（特公昭５８−４８０８８号公報、上記引用例２）、甲第３号証（特開昭６１−５０１２５号公報、上記引用例３）、甲第４号証（雑誌『日経エレクトロニクス１９８６年５月１９日号、ｎｏ.３９５』第１８１−１８５頁、上記引用例４）、甲第５号証（特開昭５５−４３５１５号公報、上記引用例５）、甲第６号証（特開昭５６−１５１９１６号公報、上記引用例６）を提出し、訂正前請求項１に記載された発明は、特許法第２９条第２項の規定に違反してなされたものであるから、特許を取り消すべき旨主張している。
　申立人池田　繁次は、証拠として甲第１号証（特開平２−５６５２３号公報、上記先願明細書）を提出し、訂正前請求項１に記載された発明は、特許法第２９条の２の規定に違反してなされたものであるから、特許を取り消すべき旨主張し、甲第２号証（特開昭６３−９５７２６号公報、上記引用例７）、甲第３号証（米国特許第４２８５５８８号明細書、上記引用例１）、甲第４号証（特開昭５５−１３５８２５号公報、上記引用例７）、甲第５号証（特開昭６１−９４０３３号公報、上記引用例８）、甲第６号証（特開昭６１−２０１２２５号公報、上記引用例９）、甲第７号証（東芝レビュー、４１巻１０号、昭和６１年、第８７３−８７６頁、上記引用例１０）を提出し、訂正前請求項１に記載された発明は、特許法第２９条第２項の規定に違反してなされたものであるから、特許を取り消すべき旨主張している。
イ．判断
〔本件請求項１に記載された発明〕
  申立人丸山　正及び池田　繁次の主張については、上記（２）エ．で示したとおりである。
ウ．むすび
　以上のとおりであるから、特許異議申立の理由及び証拠によっては、本件請求項１に記載された発明の特許を取り消すことはできない。
　また、他に本件請求項１に記載された発明の特許を取り消すべき理由を発見しない。
　よって、結論のとおり決定する。
【異議決定日】
平成１２年７月７日（２０００．７．７）
【訂正の要旨】
　訂正の要旨
特許請求の範囲の減縮を目的として、下記（１）のように特許請求の範囲を訂正する。また、特許請求の範囲の訂正に応じて、発明の詳細な説明についても、適合性を持たせるために下記（２）のように訂正する。
（１）特許請求の範囲の請求項１を次のとおり訂正する。
「【請求項１】カメラのレリーズ信号に応動し、シャッタの開動作開始直前までの間に瞳孔縮小用として閃光発光を行わせ、シャッタの開動作開始後に撮影用として閃光発光を行わせるようにした閃光発光装置において、瞳孔縮小用および撮影用の閃光発光を行うひとつの閃光放電管と、この閃光放電管に直列に接続されたＩＧＢＴと、このＩＧＢＴを駆動して、上記閃光放電管に瞳孔縮小用発光と撮影用発光とを行わせるものであって、前記瞳孔縮小用発光をレリーズ信号に応動して予め定められた一定時間の間、予め定められた発光間隔で複数回行わせ、前記撮影用発光を前記瞳孔縮小用発光の後であって前記レリーズ信号に応動した所定時間経過後に行わせる発光駆動回路と、を具備したことを特徴とする閃光発光装置。」
（２）発明の詳細な説明の欄段落【０００６】の項（特許掲載公報第３欄段落【０００６】）を「【課題を解決するための手段】前述した目的を達成するため、本発明による閃光発光装置は、カメラのレリーズ信号に応動し、シャッタの開動作開始直前までの間に瞳孔縮小用として閃光発光を行わせ、シャッタの開動作開始後に撮影用として閃光発光を行わせるようにした閃光発光装置において、瞳孔縮小用および撮影用の閃光発光を行うひとつの閃光放電管と、この閃光放電管に直列に接続されたＩＧＢＴと、このＩＧＢＴを駆動して上記閃光放電管に瞳孔縮小用発光と撮影用発光とを行わせるものであって、前記瞳孔縮小用発光をレリーズ信号に応動して予め定められた一定時間の間、予め定められた発光間隔で複数回行わせ、前記撮影用発光を前記瞳孔縮小用発光の後であって前記レリーズ信号に応動した所定時間経過後に行わせる発光駆動回路と、を具備したことを特徴とする。」と訂正する。
（５４）【発明の名称】
閃光発光装置
（５７）【特許請求の範囲】
　【請求項１】　カメラのレリーズ信号に応動し、シャッタの開動作開始直前までの間に瞳孔縮小用として閃光発光を行わせ、シャッタの開動作開始後に撮影用として閃光発光を行わせるようにした閃光発光装置において、
　瞳孔縮小用および撮影用の閃光発光を行うひとつの閃光放電管と、
　この閃光放電管に直列に接続されたＩＧＢＴと、
　このＩＧＢＴを駆動して、上記閃光放電管に瞳孔縮小用発光と撮影用発光とを行わせる
ものであって、前記瞳孔縮小用発光をレリーズ信号に応動して予め定められた一定時間の間、予め定められた発光間隔で複数回行わせ、前記撮影用発光を前記瞳孔縮小用発光の後であって前記レリーズ信号に応動した所定時間経過後に行わせる
　を具備したことを特徴とする閃光発光装置。
【発明の詳細な説明】
　【発明の属する技術分野】
　本発明は、閃光発光装置、詳しくは、赤目現象を防止する機能を有する閃光発光装置に関する。
　【従来の技術】
　従来、人物や動物を被写体とし、ストロボを発光させて閃光同調撮影を行なった場合、撮影レンズ光軸とストロボの閃光放電管の中心との距離が近いと、被写体の眼が赤色に写る赤目現象を生じることは周知である。
　従って、この赤目現象が生じないように防止する手段が従来種々提供されている。その代表的な手段には、特公昭５８−４８０８８号公報に開示されているように、閃光同調撮影を行なう直前に、ストロボの閃光放電管とは別の発光ランプを一定時間点灯させ、被写体の眼の瞳孔を閉じさせてから、閃光放電管を同調発光させるようにしたもの知られている。
　【発明が解決しようとする課題】
　しかしながら、上記特公昭５８−４８０８８号公報に記載されている赤目防止手段では、閃光同調撮影の直前に一定時間ランプを点灯させてこれにより瞳孔を閉じさせるようにしている。しかし、この防止手段では閃光放電管とは別にランプを設け、このランプを点灯させているため、装置が大型となるという問題点が生じる。
　本発明はかかる問題点に鑑みてなされたものであり、小型の閃光発光装置を提供することを目的とする。
　【課題を解決するための手段】
　前述した目的を達成するため、本発明による閃光発光装置は、カメラのレリーズ信号に応動し、シャッタの開動作開始直前までの間に瞳孔縮小用として閃光発光を行わせ、シャッタの開動作開始後に撮影用として閃光発光を行わせるようにした閃光発光装置において、瞳孔縮小用および撮影用の閃光発光を行うひとつの閃光放電管と、この閃光放電管に直列に接続されたＩＧＢＴと、このＩＧＢＴを駆動して、上記閃光放電管に瞳孔縮小用発光と、撮影用発光とを行わせる
ものであって、前記瞳孔縮小用発光をレリーズ信号に応動して予め定められた一定時間の間、予め定められた発光間隔で複数回行わせ、前記撮影用発光を前記瞳孔縮小用発光の後であって前記レリーズ信号に応動した所定時間経過後に行わせる
　【発明の実施の形態】
　まず、本発明の実施形態の説明に先立って、本発明の基本原理について説明する。
　本発明による閃光発光装置は、図１（Ａ）にその基本原理を示す如く、カメラのレリーズ信号に応動して、シャッタの開動作開始直前までの間に、瞳孔収縮用としての輝度の高い複数回の閃光発光からなるプリ発光ＰＡ　を行なわせ、シャッタの開動作開始後に撮影用として同調閃光発光ＰＣ　を行なわせるようにしたことを特徴とするものである。
　このようなプリ発光ＰＡ　を行なうと、図１（Ｂ）に示す従来の一定光をプリ発光ＰＢさせるものに較べ瞳孔の反応終了時間を、従来の１．３〜１．６秒から０．５〜０．９秒に早めることができる。
　即ち、何人かの人物を対象として実験した結果をグラフ化すると、図２に示すように輝度の高い微小パルス光からなる閃光発光の間隔を、５０ｍｓにすると瞳孔を小径にする応答が終了するまでの時間は、０．７秒程度となる。また、プリ発光に使用するエネルギーも大幅に節約することができる。
　以下、図面を参照して本発明の実施の形態を説明する。
　図３〜図５は、本発明の第１実施形態を示したものである。この第１実施形態の閃光発光装置の構成は、図３に示すように、閃光発光回路と発光駆動回路とで構成されている。上記閃光発光回路は、ＤＣ−ＤＣコンバータからなる昇圧電源回路１と、この電源回路１の出力端に整流用ダイオード３を介して接続されたメインコンデンサＣ１　および閃光放電管Ｘｅ，発光制御回路４と、上記放電管Ｘｅのトリガ回路２とで形成されており、上記発光駆動回路は、レリーズ操作によって閉成するレリーズスイッチＳＷ１　と、このスイッチＳＷ１　から信号が入力される第１ワンショットマルチ回路５と、同回路５の出力がそれぞれ入力される第１カウンタ６およびパルス発生回路７と、上記第１カウンタ６の出力が入力される第２カウンタ８と、同カウンタ８の出力が入力される第２ワンショットマルチ回路９と、同マルチ回路９と上記パルス発生回路７の出力が入力され上記トリガ回路２および発光制御回路４に駆動信号を印加するオア回路ＯＲ１　と、上記第１カウンタ６および第２カウンタ８を駆動する発振器１０とで構成されている。
　また、上記昇圧電源回路１，トリガ回路２および発光制御回路４は、図５にその具体的な電気回路が示されるように構成されている。即ち、昇圧電源回路１は、電源電池Ｅ０　の両端に電源スイッチＳＷ０　を介して接続された、トランジスタＴｒ１，抵抗Ｒ１，抵抗Ｒ２の直列回路、昇圧トランスＴ１の１次巻線，トランジスタＴｒ２の直列回路およびコンデンサＣ２，抵抗Ｒ３の直列回路と、上記昇圧トランスＴ１の２次巻線とが図示のように結線されて構成されている。
　このように構成された昇圧電源回路１においては、電源スイッチＳＷ０　を閉成すると、抵抗Ｒ３　を通じてトランジスタＴｒ１にペース電流が流れ、同トランジスタＴｒ１にコレクタ電流を流す。このコレクタ電流はトランジスタＴｒ２のベース電流となって同トランジスタＴｒ２にコレクタ電流を流す。
すると昇圧トランスＴ１　の１次巻線に電流が流れ、１次巻線の２次巻線に対する鎖交磁束により、２次巻線には高電圧が誘起され、これによって出力端から整流用ダイオード３を通じてメインコンデンサＣ１に充電電流を流すようになる。この充電電流は上記トランジスタＴｒ１のベースを通って流れるため、更にトランジスタＴｒ１にはコレクタ電流が流れ、従ってトランジスタＴｒ２のペース電流が増加し、これに伴ってコレクタ電流の増加、そしてメインコンデンサＣ１　への充電電流の増加とつながり、この正帰還作用によってトランジスタＴｒ２は飽和状態になる。すると、１次側の電流変化が無くなるために２次側の磁束変化もなくなる。よって２次側にはダイオード３を逆バイアスする方向のエネルギーが発生し、トランジスタＴｒ１を逆バイアスしてオフとすることによってトランジスタＴｒ２もオフとなる（１サイクル終了）。ここで２次側の巻線には振動が起こり、トランジスタＴｒ１を正バイアスする半波の時、トランジスタＴｒ１が再びオンとなり、上記初期状態に戻り次の１サイクルの動作を開始する。このようにして発振動作を行なってメインコンデンサＣ１への充電を行なう。
　また、上記トリガ回路２は、抵抗Ｒ４　，サイリスタＳＣＲ１　の直列回路と、トリガコンデンサＣ３およびトリガトランスＴ２と、抵抗Ｒ５，Ｒ６とで構成されており、上記トリガコンデンサＣ３　にはメインコンデンサＣ１　の充電に伴って予じめチャージがなされている。そして、上記ＳＣＲ１のゲートに抵抗Ｒ６を通じて信号が入力されると同ＳＣＲ１　がオンとなり、トリガコンデンサＣ３の電荷はＳＣＲ１　を通じてトリガトランスＴ２　の１次側巻線に供給される。すると、トリガトランスＴ２　の２次側巻線に高圧の電圧が発生し、これがトリガ電極に印加され、閃光放電管Ｘｅをトリガする。
　また上記発光制御回路４は、上記閃光放電管Ｘｅに直列に接続されている通称ＩＧＢＴ（Ｉｎｓｕｌａｔｃｄ　Ｇａｔｅ　Ｂｉｐｏｌａｒ　Ｔｒａｎｓｉｓｔｏｒ）と呼ばれるトランジスタＴｒ３と、ダイオ−ドＤ１，抵抗Ｒ７，Ｒ８の直列回路と、定電圧ダイオ−ドＺＤと、トランジスタＴｒ４〜Ｔｒ６および抵抗Ｒ９〜Ｒ１３，コンデンサＣ４とが図示のように接続され、構成されていて、上記抵抗Ｒ７，定電圧ダイオードＺＤ，コンデンサＣ４はトランジスタＴｒ３の駆動用電源を形成している。
　なお、上記オア回路ＯＲ１は実際にはインバータＩ１と共にＮＯＴ１回路を形成していて、これを通じて上記トランジスタＴｒ６のペースに信号を印加するようになっており、また、上記トリガ回路２には更にインバータＩ２を通じて信号を印加するようになっている。
　上記ＮＯＴ１　回路の出力は、平生は“Ｈ”となっており、上記トランジスタＴｒ６はオン，トランジスタＴｒ４はオフ，トランジスタＴｒ５はオン待機状態で、トランジスタＴｒ３のゲートは０Ｖとなっていて、トランジスタＴｒ３はオンとならない。そして、上記第２ワンショットマルチ回路９またはパルス発生回路７の出力がＮＯＴ１　回路を通じてトランジスタＴｒ６をオフとしたとき、トランジスタＴｒ４がオンとなりトランジスタＴｒ３のゲートに電圧が印加され、同トランジスタＴｒ３がオンとなる。ただし、上記第２マルチ回路９またはパルス発生回路７のパルス幅だけトランジスタＴｒ３のゲートがバイアスされることになる。即ち、閃光放電管Ｘｅはパルス幅だけ発光することになる。
　なお、抵抗Ｒ１１に並列にコンデンサを接続することにより、トランジスタＴｒ３のゲートバイアスの立ち上がりを早くしたり、トランジスタＴｒ５のオン時にトランジスタＴｒ３のゲートを逆バイアスするようにしても良い。
　次に、このように構成されている上記第１実施形態の閃光発光装置の動作を、図４のタイムチャートと共に説明する。レリーズスイッチＳＷ１　が閉じられてレリーズ信号が入力されると、その信号は第１ワンショットマルチ回路５に入力され、同回路５のパルス出力は第１カウンタ６とパルス発生回路７のセット端子Ｓに入力し、それぞれを駆動する。上記第１カウンタ６はレリーズからシャッタ起動までをカウントする時定回路であり、パルス発生回路７は所定の間隔でパルスをオア回路ＯＲ１　に送出するパルス回路で形成されている。このようにレリーズと同期してパルス発生回路７が動作し、そのパルスがオア回路ＯＲ１，インバータＩ１を通じて発光制御回路４および更にインバータＩ２を通じてトリガ回路２に入力されると、両回路２，４が駆動されるので、所定間隔で輝度の高い複数回のプリ発光が行なわれる。従って、これによって瞳孔が縮少され、赤目現象が生じるのが防止される。
　一方、上記第１カウンタ６の出力は第２カウンタ８とパルス発生回路７のリセット端子Ｒにそれぞれ入力される。そして、第２カウンタ８が起動されると同時にシャッタも作動を開始し、またパルス発生回路７がリセットされるのでパルス出力は停止する。上記第２カウンタ８はシャッタ開動作から全開までに相当する時間をカウントする時定回路で、計時終了後、出力を発生し第２ワンショットマルチ回路９にその出力を入力する。ワンショットマルチ回路９からは閃光発光用信号がオア回路ＯＲ１　を通じて発光制御回路４に入力され、またインバータＩ２を介してトリガ回路２に入力されるので、今度はストロボ本来のシャッタと同調した閃光発光を行ないストロボ撮影を行なう。因に、本実施形態におけるプリ発光ＰＡは、図４のタイムチャートに示すように、ＧＮｏ（ガイドナンバー）＝１相当の光量で、発光間隔５０ｍｓ、発光回数１４回行なってシャッタレリーズまでのタイムラグは０．９秒という結果を得ている。
　なお、上記第１実施形態ではカメラに内蔵したストロボとして説明したが、これはカメラ本体とは別体のストロボを用い、レリーズスイッチＳＷ１　をレリーズ信号に置換し、カメラ本体からレリーズ同期信号を受け取り、第１ワンショットマルチ回路５にインプットするようにすると共に、第２カウンタ８によりシャッタ開動作からシャッタ全開までの時間を計時しているのに代えて、第１カウンタ６の出力によりシャッタ開動作を開始させ、通常のＸ接点のオン信号を第２ワンショットマルチ回路９に入力するようにしても良いことは勿論である。このことは、以下に述べる第２，第３実施形態においても同様である。
　次に、本発明の第２実施形態を図６，図７，図８によって説明する。
　この第２実施形態の閃光発光装置において、上記第１実施形態の閃光発光装置と相違する点は、図６の回路に示す如く、赤目防止用のプリ発光と通常の閃光発光とを前以って選択するためのモードスイッチＳＷ２が付加されたことにある。よって、撮影者はこのモードスイッチＳＷ２　を端子Ｒ０　がわに切り換えれば、赤目防止用のプリ発光後、閃光発光が行なわれる赤目モード、端子Ｎ０　がわに切り換えればプリ発光をせずに閃光発光のみが行なわれる従来の閃光発光モードを選択することができる。
　即ち、上記モードスイッチＳＷ２　を端子Ｒ０　に切り換えて赤目モードを選択した場合には、第２アンド回路ＡＮＤ２　は開かれ、第１アンド回路ＡＮＤ１　は閉じられるので、上記第１実施形態の電気回路（図５参照）と全く同じ構成となり、動作シーケンスも図７に示すタイムチャートとなって、プリ発光作動後、シヤッタに同調したストロボ撮影が行なわれる。
　また、モードスイッチＳＷ２　を端子Ｎ０　に切り換えて通常の閃光発光モードを選択すると、第２アンド回路ＡＮＤ２　が閉じられ第１アンド回路ＡＮＤ１　が開かれる。このときの動作シーケンスは図８に示すタイムチャートのようになる。即ち、レリーズスイッチＳＷ１　をオンにすると、第１ワンショットマルチ回路５からパルスが発生し、このパルスが第１アンド回路ＡＮＤ１　を通り、第２オア回路０Ｒ２　を介して第２カウンタ８を起動する。第２カウンタ８は所定時間を計時すると出力を発し、第２ワンショットマルチ回路９より閃光発光用パルス信号を発生させる。そして、これにより発光制御回路４およびトリガ回路２が駆動され閃光発光が行なわれ、ストロボ撮影が行なわれる。
　図９，図１０，図１１は、本発明の第３実施形態を示したものである。この第３実施形態の閃光発光装置は、上記第２実施形態の閃光発光装置においては、赤目モードと通常モードとをモードスイッチＳＷ２によって選択していたものを、図９に示すように、被写体距離情報，レンズの焦点距離情報，被写界輝度情報，ストロボと撮影レンズとの間隔情報等を判定回路１１に入力し、ここで赤目が発生するか否かを判断し、自動的に赤目モード，通常ードに切り換えるようにしたものである。即ち、判定回路１１で演算し、赤目が発生すると判定した場合には、端子Ｒ０　に、赤目防止用のパルス信号を発生させて、これを第１カウンタ６およびパルス発生回路７に入力して、図１０のタイムチャートのように動作させてプリ発光後、シャッタを動作させて閃光発光を行なう。
　また、赤目現象が発生しないと判定回路１１が判断したときには端子Ｎｏ　にパルス信号を発生させ、図１１に示すタイムチャートのようにシーケンス動作を行なわせ、プリ発光をさせずにシャッタ動作を行なわせて閃光同調撮影を行なう。
　なお、上記判定回路１１は、次の条件式を満足したとき、赤目現象が発生すると判断して赤目防止用のパルス信号を端子Ｒ０に出力する。即ち、（ａ）撮影レンズ光軸とストロボの閃光放電管Ｘｅの中心との間隔である距離ｄと、被写体距離ｌとが、
（ｂ）被写体距離ｌ，焦点距離ｆ，上記間隔距離ｄとが、
の場合に赤目が発生すると判断する。
　次に、図１２，図１３，図１４および図１５は、本発明の第４実施形態を示したものである。この第４実施形態は、全自動カメラ、即ち、測光，測距，露光，フイルムの巻上等を全て自動的に行なうカメラに本発明の閃光発光装置を内蔵させたものであって、図１２に示す如く、カメラ動作を行なうシーケンスコントローラはＣＰＵ１２で構成されており、測光および測距動作は上記ＣＰＵ１２で制御される測光，測距駆動回路１３により動作するようになっている。また、撮影レンズはレンズ駆動用モータＭ１で、シャッタはシャッタ駆動用モータＭ２で、フィルムは巻上用モータＭ３　でそれぞれ自動的に動作せられ、各モータＭ１　〜Ｍ３　はモータコントロール回路１４で制御されるようになっている。更に上記ＣＰＵ１２は、レリーズスイッチＳＷｌａを一段押し込んだ１ｓｔレリーズによって測光，測距指令を発し、二段押し込んだ２ｎｄレリーズ時に赤目判定を行なってプリ発光信号または閃光発光信号を閃光発光回路に出力する。
　上記閃光発光回路は、ＤＣ−ＤＣコンバータからなる昇圧電源回路１Ａと、この電源回路１Ａの出力端に整流用ダイオード３を介して接続されたメインコンデンサＣ１　とおよび閃光放電管Ｘｅ，発光制御回路４Ａと、上記放電管Ｘｅのトリガ回路２とで構成されている。
　上記昇圧電源回路１Ａは、電源電池Ｅ０　の両端に電源スイッチＳＷ０　を介して接続された、トランジスタＴｒ１１，抵抗Ｒ２１，Ｒ２２の直列回路、トランジスタＴｒ１２，Ｔｒ１３，抵抗Ｒ２３，Ｒ２４の直列回路、昇圧トランスＴ１の１次巻線、トランジスタＴｒ１４の直列回路、上記トランスＴ１の２次巻線，．抵抗Ｒ２５の直列回路と、コンデンサＣ２および抵抗Ｒ２６，Ｒ２７とが図示のように結線されて構成されている。この昇圧電源回路１Ａは、周知のものであるから、その動作説明は省略するが、上記トランジスタＴｒ１１へのＣＰＵ１２からの信号のＨ，ＬによりＤＣ−ＤＣコンバータのコントロールができるようになっている。
　また、上記トリガ回路２は前記第１〜第３実施形態のものと全く同じであるから、その説明は省略する。
　上記発光制御回路４Ａは、電源回路１Ａの出力端に接続された、抵抗Ｒ２８，コンデンサＣ５の直列回路と、コンデンサＣ５の両端に接続されたコイルＬ１，サイリスタＳＣＲ２の直列回路と、抵抗Ｒ２９，Ｒ３０とで構成されている。
　このように構成された閃光発光回路の動作を、図１５のタイムチャートと共に説明する。電源スイッチＳＷ０　が閉成され、ＣＰＵ１２から駆動信号が昇圧電源回路１Ａに出されると、同回路１Ａは作動し、メインコンデンサＣ１　を充電すると共に、トリガコンデンサＣ３およびコンデンサＣ５を抵抗Ｒ４および抵抗Ｒ２８をそれぞれ通じてメインコンデンサＣ１　の両端の電位と略同電位となるようにチャージする。
　ここで、上記コンデンサＣ５　の放電用である上記ＳＣＲ２　にトリガ信号がＣＰＵ１２から加えられると、コンデンサＣ５　の電荷は、コイルＬ１，ＳＣＲ２を通して放電するが、コンデンサＣ５，コイルＬ１の共振により、コンデンサＣ５には逆チャージがなされ、コンデンサＣ５　と閃光放電管Ｘｅの電位は、メインコンデンサＣ１　の電圧をＶＣＭとすると、略−ＶＣＭとなる。そしてこの時点でＳＣＲ２　はオフしてしまう。よって放電管Ｘｅには２ＶＣＭの電圧が印加されることになり、放電管Ｘｅが発光し易くなる（従来の引下げ回路と同じ効果が得られる）。この時点で、ＳＣＲ１にＣＰＵ１２からトリガ信号が加わると放電管Ｘｅが発光し、コンデンサＣ５にチャージされると発光は停止する。
　この動作を１サイクルとして、プリ発光は複数回行なわれる。閃光発光時は、まずＳＣＲ２に信号を送出し、ＳＣＲ２をオンとし、コンデンサＣ５の電圧を−Ｖ　ＣＭとして、その後、ＳＣＲ１　へ信号を送出し放電管Ｘｅを発光させる。そうするとコンデンサＣ５　の電圧が上昇する。しかし、依然ＳＣＲ２　には信号が送出され続けているために、ＳＣＲ２　のアノード電圧、即ちコンデンサＣ５の電圧がＳＣＲ２のオン電圧を越えると放電管Ｘｅの放電電流はＳＣＲ２を通じて放電するようになる。よって閃光発光が行なわれる。
　次に、上記閃光発光装置を有する全自動カメラの動作を図１２〜図１５によって説明すると、図１３のフローチャートおよび図１４のタイムチャートに示すように、１ｓｔレリーズで測光，測距を行ない、そのデータをＣＰＵ１２はメモリする。ここで、再１ｓｔレリーズすると、上記メモリされたデータは新しい値にリフレッシュされる。その後、２ｎｄレリーズが押されると、プリ発光用パルスをＣＰＵ１２からＳＣＲ２に送出し、その後にＳＣＲ１にトリガコンデンサＣ３の放電用パルスを送出する。このパルスを所定時間続け、その後、シャッタ動作信号をＣＰＵ１２からモータコントロール回路１４に送出し、シャッタ開放時にＣＰＵ１２からＳＣＲ１　とＳＣＲ２　に同期したパルスを送出し、閃光発光を行なわせる。しかるのち、シャッタは閉じ、巻き上げを行なって初期状態に戻る。
　また、上述の実施形態においては、撮影用の閃光発光をシャッタ全開と共に行なっているが、レンズシャツタタイプのカメラ等のように全速同調するタイプのシャッタを採用したカメラでは、シャッタが開成されれば全開していなくても閃光発光させるようにすればよいことは言う迄もない。
　図１６および図１７は、本発明の第５実施形態を示したものである。この実施形態の閃光発光装置はカメラとは別体に構成されていて、カメラ本体（図示されず）とはシンクロ接点端子Ｘ０　，クロック端子ＣＫ，データバス端子Ｄ．Ｂ，グラウンド端子Ｇとで接続されるようになっている。
　この実施形態の閃光発光回路は、その昇圧電源回路１Ａとトリガ回路２とが前記第４実施形態の回路（図１２参照）と全く同様に構成されており、発光制御回路４Ｂが、閃光放電管Ｘｅに直列に接続されているＳＣＲ３　と、抵抗Ｒ３１，ＳＣＲ４の直列回路と、コンデンサＣ６，Ｃ７および抵抗Ｒ３２，Ｒ３３，Ｒ３４，Ｒ３５，Ｒ３６とが図示のように結線されて構成されている。また、この閃光発光回路をシーケンスコントロールするＣＰＵ１５は、そのＡ／Ｄコンバータ部に抵抗Ｒ３７，Ｒ３８で分割されたメインコンデンサＣ１　の分割電圧が入力されるようになっていて、この電圧が予じめ設定された値に達すると、昇圧電源回路１ＡのトランジスタＴｒ１１をオフ状態として充電電圧のコントロールを行なうようになっている。
　このように構成されている第５実施形態の閃光発光装置の動作を図１７のタイムチャートと共に説明すると、電源スイッチＳＷ０　を閉成しトランジスタＴｒ１１をオン状態にすることにより、トランジスタＴｒ１２がオンとなってＤＣ−ＤＣコンバータが発振を開始し、ダイオード３を通じてメインコンデンサＣ１，トリガコンデンサＣ３，コンデンサＣ６，Ｃ７をチャージする。
　この状態で先ず、赤目モードか選択されるとクロック端子ＣＫとデータバス端子Ｄ．Ｂに、プリ発光開始信号が入力される。すると、出力端子Ｔ０１，Ｔ０２に図１７に示すようなパルス信号列が発生する。先ず端子Ｔ０１にパルス信号が発生するとＳＣＲ１　がオンとなり、閃光放電管Ｘｅにトリガ電圧が印加される。よって、閃光放電管Ｘｅ→コンデンサＣ６→コンデンサＣ７→ＳＣＲ３のゲートと電流が流れ、放電管Ｘｅが放電を開始する。次いで端子Ｔ　０２にパルスが発生すると、ＳＣＲ４をオンとし予じめ抵抗Ｒ３１，Ｒ３４を通じて蓄積されていたコンデンサＣ６の電荷を放電してＳＣＲ３を逆バイアスし、ＳＣＲ３をオフとして発光を停止する。
　この動作を端子Ｔ　０１→Ｔ０２，Ｔ　０１→Ｔ　０２に順に発生するパルスにより繰り返すことにより、プリ発光が複数回行なわれ赤目が防止される。なお、上記パルスの発生間隔は前以って設定されており、Ｔ　０１→Ｔ　０２の時間も予め定められている。
　そして、このプリ発光が行なわれると、次いでシャッタ動作信号が端子Ｄ．Ｂに入力する。すると、プリ発光は停止する。この端子Ｄ．Ｂに印加されるシャッタ動作信号は、シャッタ動作開始からシャッタ閉成時まで印加されている。またＣＰＵ１５にはプリ発光開始からカウントを開始するタイマが設けられており、このタイマが計時終了するとプリ発光は停止する。しかし、計時が終了する前に端子Ｄ．Ｂにシャッタ動作信号が発生するようなときは、これは回路系の異常状態として判断し、プリ発光を停止するようになっている。
　そののち、端子Ｘ０　に信号が入力されると端子Ｔ　０１に出力を発生し、放電管Ｘｅの発光を開始する。そして発光光量が適切になると、クロック端子ＣＫに信号が入り、出力端子Ｔ　０２に信号を出し発光を停止させる。なお、上記デー夕バス端子Ｄ．Ｂは、“Ｌ”でかつ、シンクロ端子Ｘ０　にシンクロ発光信号が入力したときのみ、同信号を入力するようになっている。
　次に、通常発光モードが選択されると、端子ＣＫとＤ．Ｂに通常モード信号が発生する。すると、端子Ｘ０に信号が入力されるまで、出力端子Ｔ　０１，Ｔ　０２には信号は発生しない。端子Ｘ０にシンクロ発光信号が入力されると出力端子Ｔ　０１に信号が発生し、放電管Ｘｅは発光を開始する。そして適正光量に達すると、端子ＣＫに信号が入力され、出力端子Ｔ　０２に信号を発生し発光を停止する。　以上述べたように上記実施形態によれば、次のような顕著な効果が得られる。
即ち、本発明では眼の視神経は、その性質上、一定光よりもパルス光の連続の方がより大きな反応を瞳孔にフィードバックすることができるという基本原理を利用し、閃光同調発光撮影の前に閃光放電管によって輝度の高い連続パルス光を発生させているために、
（１）瞳孔が閉じてからの閃光発光となり、ストロボ同調撮影時の赤目現象を防止することができる。
（２）瞳孔の縮少反応が早いので、閃光発光前の上記パルス光の持続時間を短かくし、これによってレリーズ→プリ発光→閃光発光による同調撮影までのタイムラグを短かくすることができ、シャッタチャンスを逃すことがない。
（３）瞳孔縮少用のパルス光を、閃光発光を行なう同一の閃光放電管で発光させているので、装置を小型化できる。
（４）瞳孔縮少用の連続パルス光は、光量は小さいが輝度が高いので、周囲光の影響を受けずに確実に瞳孔に縮少作用を生じさせる。
　【発明の効果】
　以上説明したように本発明によれば、瞳孔縮小用および撮影用の閃光発光を行う閃光放電管に直列に接続されたＩＧＢＴを設け、このＩＧＢＴを駆動することにより、瞳孔縮小用の閃光発光と撮影用の閃光発光とを同一の閃光発光管で発光させるようにしたので、装置を小型化できるという顕著な効果が得られる。
【図面の簡単な説明】
　【図１】
（Ａ）（Ｂ）は、本発明の原理を説明するための瞳孔縮少用の発光を示す線図である。
　【図２】
　パルス光の発光間隔と瞳孔の反応時間との関係を示す線図である。
　【図３】
　本発明の第１実施形態を示す閃光発光装置の電気回路図である。
　【図４】
　上記第１実施形態の装置の電気回路のタイムチャートである。
　【図５】
　上記第１実施形態の閃光発光装置の閃光発光回路の具体的な電気回路図であ
る。
　【図６】
　本発明の第２実施形態を示す閃光発光装置の電気回路図である。
　【図７】
　上記第２実施形態の装置の電気回路の動作を示すタイムチャートである。
　【図８】
　上記第２実施形態の装置の電気回路の動作をすタイムチャートである。
　【図９】
　本発明の第３実施形態を示す閃光発光装置の電気回路図である。
　【図１０】
　上記第３実施形態の装置の電気回路の動作を示すタイムチャートである。
　【図１１】
　上記第３実施形態の装置の電気回路の動作を示すタイムチャートである。
　【図１２】
　本発明の第４実施形態を示す閃光発光装置の電気回路図である。
　【図１３】
　上記第４実施形態の装置の動作を示すフローチャートである。
　【図１４】
　上記第４実施形態の装置の電気回路の動作を示すタイムチャートである。
　【図１５】
　上記第４実施形態の装置の電気回路の動作を示すタイムチャートである。
　【図１６】
　本発明の第５実施形態を示す閃光発光装置の電気回路図である。
　【図１７】
　上記第５実施形態の装置の電気回路の動作を示すタイムチャートである。
　【符号の説明】
　ＰＡ………瞳孔収縮用閃光発光
　ＰＣ………撮影用閃光発光
　ＳＷ１……レリーズスイッチ（レリーズ信号）
　ＳＷ２……モードスイッチ
　１１………判定回路（切換回路）
　１２………ＣＰＵ　（切換回路）